【手続補正書】
【提出日】平成18年5月24日(2006.5.24)
【手続補正１】
【補正対象書類名】明細書
【補正対象項目名】特許請求の範囲
【補正方法】変更
【補正の内容】
【特許請求の範囲】
【請求項１】  複数の異なる音情報と各音情報を示す識別情報とを記憶している第１の記憶手段から、選択操作に応じていずれかの音情報を選択する選択ステップと、
取得操作に応答して画像データを取得する取得ステップと、
前記選択ステップで選択された音情報の識別情報を用いて、前記画像データを記憶する際の画像ファイル名を作成するファイル名作成ステップと、
このファイル名作成ステップで作成された画像ファイル名で、前記画像データを第２の記憶手段に記憶させる記憶ステップとを含み、
前記ファイル名作成ステップで作成されるファイル名は、ピリオド（．）で区切られた左側の第１の部分と右側の第２の部分（拡張子）とで構成され、前記第１の部分に前記音情報の識別情報を含むことを特徴とする画像データ記憶方法。
【請求項２】  前記音情報は曲のデータであり、前記識別情報は各曲のデータを示す曲コードであることを特徴とする請求項１記載の画像データ記憶方法。
【請求項３】  前記曲のデータは、当該曲のＭＩＤＩデータであることを特徴とする請求項２記載の画像データ記憶方法。
【請求項４】  前記取得ステップでは、被写体像を撮影して前記画像データを取得することを特徴とする請求項１、２又は３記載の画像データ記憶方法。
【請求項５】  不揮発性メモリに保存される画像ファイル名が、ピリオド（．）で区切られた左側の第１の部分と右側の第２の部分（拡張子）とで構成され、前記第１の部分に音楽データと対応する文字列が含められ、画像ファイルを閲覧するときに、前記画像ファイル名に対応する音楽データの音楽信号を音源部で再生可能としたことを特徴とするデータ記憶・再生方法。
【請求項６】  複数の異なる音情報と各音情報を示す識別情報とを記憶している第１の記憶手段から、選択操作に応じていずれかの音情報を選択する第１の選択ステップと、
取得操作に応答して画像データを取得する取得ステップと、
前記第１の選択ステップで選択された音情報の識別情報を用いて、前記画像データを記憶する際の画像ファイル名を作成するファイル名作成ステップと、
このファイル名作成ステップで作成された画像ファイル名で、前記画像データを第２の記憶手段に記憶させる記憶ステップと、
再生時における選択操作に応じて、前記第２の記憶手段に記憶されている前記画像ファイル名の何れかを選択する第２の選択ステップと、
この第２の選択ステップで選択された画像ファイル名が示す画像データを前記第２の記憶手段から読み出し、この読み出した画像データに基づき画像を再生する画像再生ステップと、
前記第２の選択ステップで選択された画像ファイル名に用いられている前記識別情報を検出する検出ステップと、
この検出ステップで検出された前記識別情報が示す音情報を前記第１の記憶手段から読み出し、この読み出した音情報に基づき音を再生する再生ステップとを含み、
前記ファイル名作成ステップで作成されるファイル名は、ピリオド（．）で区切られた左側の第１の部分と右側の第２の部分（拡張子）とで構成され、前記第１の部分に前記音情報の識別情報を含むことを特徴とする画像データ記憶・再生方法。
【請求項７】  音源部とカメラ部とからなり、
前記音源部は、複数の異なる音情報と各音情報を示す識別情報とを記憶している音情報記憶手段を備え、
前記カメラ部は、被写体を撮像する撮像手段と、
この撮像手段により撮像された被写体の画像データを記憶する際の画像ファイル名を、予め選択された前記音情報の識別情報を用いて作成する作成手段と、
この作成手段で作成されたファイル名で、前記被写体の画像データを記憶する記憶手段と、
再生時において、予め選択された画像ファイル名が示す画像データを前記記憶手段から読み出し、この読み出した画像データに基づき画像を再生する画像再生手段とを備え、
前記音源部は、前記選択された画像ファイル名に用いられた前記識別情報が示す音情報に基づき放音する音再生手段とを備え、
前記作成手段が作成する画像ファイル名は、ピリオド（．）で区切られた左側の第１の部分と右側の第２の部分（拡張子）とで構成され、前記第１の部分に前記音情報の識別情報を含むことを特徴とする撮像装置。
【請求項８】  複数の異なる曲のＭＩＤＩデータと各曲のＭＩＤＩデータを示す曲コードとを記憶している第１の記憶手段と、
この第１の記憶手段に記憶されている各曲の曲コードから、選択操作に応じていずれかの曲の曲コードを選択する第１の選択手段と、
シャッターキーの操作に応答して被写体を撮像する撮像手段と、
前記シャッターキーの操作に応答して、前記第１の選択手段により選択された前記曲コードを用いて、前記撮像手段により撮像された被写体の画像データを記憶する際の画像ファイル名を作成するファイル名作成手段と、
このファイル名作成手段により作成された画像ファイル名で、前記画像データを記憶する第２の記憶手段と、
再生時における選択操作に応じて、前記第２の記憶手段に記憶されている前記画像ファイル名の何れかを選択する第２の選択手段と、
この第２の選択手段により選択された画像ファイル名が示す画像データを前記第２の記憶手段から読み出し、この読み出した画像データに基づき画像を再生する画像再生手段と、
前記第２の選択手段により選択された画像ファイル名に用いられている曲コードを検出する検出手段と、
この検出手段により検出された前記曲コードが示す曲のＭＩＤＩデータを前記第１の記憶手段から読み出し、この読み出したＭＩＤＩデータに基づき曲を再生する曲再生手段とを備え、
前記ファイル名作成手段が作成する画像ファイル名は、ピリオド（．）で区切られた左側の第１の部分と右側の第２の部分（拡張子）とで構成され、前記第１の部分に前記曲コードを含むことを特徴とする撮像装置。
【請求項９】  画像データを得るための撮像素子を有するカメラ部と、
少なくとも１つの音楽データを記憶した第１の記憶装置と、
前記音楽データから形成されるデジタル音楽信号をアナログ信号に変換する変換器とを有し、選択された音楽データを音声信号として出力する音源部と、
カメラ部で得た前記画像データを記憶する第２の記憶装置と、
この第２の記憶装置と前記画像データの読み書きを行い、画像データをファイル形式で保存する不揮発性メモリと、
前記第２の記憶装置内の画像データを映像として表示する表示装置と、
操作スイッチを有する制御部とを備え、
前記不揮発性メモリ内に保存される画像ファイル名は、ピリオド（．）で区切られた左側の第１の部分と右側の第２の部分（拡張子）とで構成され、予め前記第１の記憶装置内の音楽データから一つを前記操作スイッチにより選択した音楽データに対応する曲コードを前記第１の部分に含めた名称に定められ、
画像ファイルを閲覧するときに、音源部で画像ファイル名に対応した曲コードの音楽データを音声信号として出力することを特徴とする撮像装置。
【請求項１０】  前記音源部には、前記第１の記憶装置内に記憶した少なくとも一つの電子楽譜データと、この電子楽譜データをデジタル音声信号に変換する演奏回路とを備えることを特徴とする請求項８又は９記載の撮像装置。
【手続補正２】
【補正対象書類名】明細書
【補正対象項目名】０００６
【補正方法】変更
【補正の内容】
【０００６】
【課題を解決するための手段】
前記課題を解決するために請求項１記載の発明にかかる画像データ記憶方法にあっては、複数の異なる音情報と各音情報を示す識別情報とを記憶している第１の記憶手段から、選択操作に応じていずれかの音情報を選択する選択ステップと、取得操作に応答して画像データを取得する取得ステップと、前記選択ステップで選択された音情報の識別情報を用いて、前記画像データを記憶する際の画像ファイル名を作成するファイル名作成ステップと、このファイル名作成ステップで作成された画像ファイル名で、前記画像データを第２の記憶手段に記憶させる記憶ステップとを含み、前記ファイル名作成ステップで作成されるファイル名は、ピリオド（．）で区切られた左側の第１の部分と右側の第２の部分（拡張子）とで構成され、前記第１の部分に前記音情報の識別情報を含む。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、請求項２記載の発明にかかる画像データ記憶方法にあっては、前記音情報は曲のデータであり、前記識別情報は各曲のデータを示す曲コードである。したがって、選択された曲のデータと取得された画像データとを関連付けて再生することが可能となるとともに、他の異なる画像データを記憶する際にも、同様にして同じ曲のデータのコードを他の異なる画像データと関連付けて記憶することができ、さらに画像データの再生を伴わない曲のデータのみの再生も可能となる。
【手続補正７】
【補正対象書類名】明細書
【補正対象項目名】００１３
【補正方法】変更
【補正の内容】
【００１３】
また、請求項３記載の発明にかかる画像データ記憶方法にあっては、前記曲のデータは、当該曲のＭＩＤＩデータである。したがって、選択された曲のＭＩＤＩデータと取得された画像データとを関連付けて再生することが可能となるとともに、他の異なる画像データを記憶する際にも、同様にして同じ曲のＭＩＤＩデータの曲コードを他の異なる画像データと関連付けて記憶することができ、さらに画像データの再生を伴わないＭＩＤＩデータのみの再生も可能となる。
【手続補正８】
【補正対象書類名】明細書
【補正対象項目名】００１４
【補正方法】変更
【補正の内容】
【００１４】
また、請求項４記載の発明にかかる画像データ記憶方法にあっては、前記取得ステップでは、被写体像を撮影して前記画像データを取得する。したがって、選択された曲の曲データ等と撮影された被写体像の画像データとを関連付けて再生することが可能となるとともに、他の異なる被写体像の画像データを記憶する際にも、同様にして同じ曲のデータの曲コードを他の異なる被写体像の画像データと関連付けて記憶することができる。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
また、請求項５記載の発明にかかるデータ記憶・再生方法にあっては、不揮発性メモリに保存される画像ファイル名が、ピリオド（．）で区切られた左側の第１の部分と右側の第２の部分（拡張子）とで構成され、前記第１の部分に音楽データと対応する文字列が含められ、画像ファイルを閲覧するときに、前記画像ファイル名に対応する音楽データの音楽信号を音源部で再生可能とした。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
また、請求項６記載の発明にかかるデータ記憶・再生方法にあっては、複数の異なる音情報と各音情報を示す識別情報とを記憶している第１の記憶手段から、選択操作に応じていずれかの音情報を選択する第１の選択ステップと、取得操作に応答して画像データを取得する取得ステップと、前記第１の選択ステップで選択された音情報の識別情報を用いて、前記画像データを記憶する際の画像ファイル名を作成するファイル名作成ステップと、このファイル名作成ステップで作成された画像ファイル名で、前記画像データを第２の記憶手段に記憶させる記憶ステップと、再生時における選択操作に応じて、前記第２の記憶手段に記憶されている前記画像ファイル名の何れかを選択する第２の選択ステップと、この第２の選択ステップで選択された画像ファイル名が示す画像データを前記第２の記憶手段から読み出し、この読み出した画像データに基づき画像を再生する画像再生ステップと、前記第２の選択ステップで選択された画像ファイル名に用いられている前記識別情報を検出する検出ステップと、この検出ステップで検出された前記識別情報が示す音情報を前記第１の記憶手段から読み出し、この読み出した音情報に基づき音を再生する再生ステップとを含み、前記ファイル名作成ステップで作成されるファイル名は、ピリオド（．）で区切られた左側の第１の部分と右側の第２の部分（拡張子）とで構成され、前記第１の部分に前記音情報の識別情報を含む。
したがって、選択された音情報の識別情報を用いて画像データを記憶する際の画像ファイル名が作成されることから、この画像ファイル名により画像と音情報とが関連付けられる。そして、再生時には、この画像ファイル名により関連付けられた画像と曲とを再生することができる。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
また、請求項７記載の発明にかかる撮像装置にあっては、音源部とカメラ部とからなり、前記音源部は、複数の異なる音情報と各音情報を示す識別情報とを記憶している音情報記憶手段を備え、前記カメラ部は、被写体を撮像する撮像手段と、この撮像手段により撮像された被写体の画像データを記憶する際の画像ファイル名を、予め選択された前記音情報の識別情報を用いて作成する作成手段と、この作成手段で作成されたファイル名で、前記被写体の画像データを記憶する記憶手段と、再生時において、予め選択された画像ファイル名が示す画像データを前記記憶手段から読み出し、この読み出した画像データに基づき画像を再生する画像再生手段とを備え、前記音源部は、前記選択された画像ファイル名に用いられた前記識別情報が示す音情報に基づき放音する音再生手段とを備え、前記作成手段が作成する画像ファイル名は、ピリオド（．）で区切られた左側の第１の部分と右側の第２の部分（拡張子）とで構成され、前記第１の部分に前記音情報の識別情報を含む。
したがって、選択された音情報の識別情報を用いて画像データを記憶する際の画像ファイル名が作成されることから、この画像ファイル名により画像と音情報とが関連付けられる。そして、再生時には、この画像ファイル名により関連付けられた画像と曲とを再生することができる。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】変更
【補正の内容】
【００３２】
また、請求項８記載の発明にかかる撮像装置にあっては、複数の異なる曲のＭＩＤＩデータと各曲のＭＩＤＩデータを示す曲コードとを記憶している第１の記憶手段と、この第１の記憶手段に記憶されている各曲の曲コードから、選択操作に応じていずれかの曲の曲コードを選択する第１の選択手段と、シャッターキーの操作に応答して被写体を撮像する撮像手段と、前記シャッターキーの操作に応答して、前記第１の選択手段により選択された前記曲コードを用いて、前記撮像手段により撮像された被写体の画像データを記憶する際の画像ファイル名を作成するファイル名作成手段と、このファイル名作成手段により作成された画像ファイル名で、前記画像データを記憶する第２の記憶手段と、再生時における選択操作に応じて、前記第２の記憶手段に記憶されている前記画像ファイル名の何れかを選択する第２の選択手段と、この第２の選択手段により選択された画像ファイル名が示す画像データを前記第２の記憶手段から読み出し、この読み出した画像データに基づき画像を再生する画像再生手段と、前記第２の選択手段により選択された画像ファイル名に用いられている曲コードを検出する検出手段と、この検出手段により検出された前記曲コードが示す曲のＭＩＤＩデータを前記第１の記憶手段から読み出し、この読み出したＭＩＤＩデータに基づき曲を再生する曲再生手段とを備え、前記ファイル名作成手段が作成する画像ファイル名は、ピリオド（．）で区切られた左側の第１の部分と右側の第２の部分（拡張子）とで構成され、前記第１の部分に前記曲コードを含む。
したがって、選択された曲の曲コードを用いて、撮像した画像データを記憶する際の画像ファイル名が作成されることから、この画像ファイル名により画像と曲のＭＩＤＩデータとが関連付けられる。そして、再生時には、この画像ファイル名により関連付けられた撮像済の画像と曲とを再生することができる。
【手続補正２７】
【補正対象書類名】明細書
【補正対象項目名】００３３
【補正方法】変更
【補正の内容】
【００３３】
また、請求項９記載の発明にかかる撮像装置にあっては、画像データを得るための撮像素子を有するカメラ部と、少なくとも１つの音楽データを記憶した第１の記憶装置と、前記音楽データから形成されるデジタル音楽信号をアナログ信号に変換する変換器とを有し、選択された音楽データを音声信号として出力する音源部と、カメラ部で得た前記画像データを記憶する第２の記憶装置と、この第２の記憶装置と前記画像データの読み書きを行い、画像データをファイル形式で保存する不揮発性メモリと、前記第２の記憶装置内の画像データを映像として表示する表示装置と、操作スイッチを有する制御部とを備え、前記不揮発性メモリ内に保存される画像ファイル名は、ピリオド（．）で区切られた左側の第１の部分と右側の第２の部分（拡張子）とで構成され、予め前記第１の記憶装置内の音楽データから一つを前記操作スイッチにより選択した音楽データに対応する曲コードを前記第１の部分に含めた名称に定められ、画像ファイルを閲覧するときに、音源部で画像ファイル名に対応した曲コードの音楽データを音声信号として出力する。
したがって、予め選択された曲の曲コードを一部に含めた名称で画像データを記憶する際の画像ファイル名が定められることから、この画像ファイル名により画像と音楽データとが関連付けられる。そして、画像ファイルの閲覧時には、画像ファイル名に対応した曲コードの音楽データが音声信号として出力される。
【手続補正２８】
【補正対象書類名】明細書
【補正対象項目名】００３４
【補正方法】変更
【補正の内容】
【００３４】
また、請求項１０記載の発明にかかる撮像装置にあっては、前記音源部には、前記第１の記憶装置内に記憶した少なくとも一つの電子楽譜データと、この電子楽譜データをデジタル音声信号に変換する演奏回路とを備える。
【手続補正２９】
【補正対象書類名】明細書
【補正対象項目名】００４０
【補正方法】変更
【補正の内容】
【００４０】
第１ＲＯＭ４０４には図２に示す曲データリストが格納されている。この曲データリストは、「００１」〜「０１４」の各場面コードに対応する各場面と、各場面に適切な４種類異なる曲の曲コードとで構成されている。各曲コードは、場面コード「００１」〜「０１４」と「Ａ」〜「Ｄ」の組み合わせからなり、末尾にＭＩＤＩデータであることを示す識別子「．ＭＩＤ」がピリオド「．」により区切られて付され、各曲のファイル名が構成されている。
なお、ピリオド「．」により区切られてファイル名の右側に付される識別子は、一般に拡張子または書式識別子と呼ばれる。
【手続補正３０】
【補正対象書類名】明細書
【補正対象項目名】００４２
【補正方法】変更
【補正の内容】
【００４２】
第２ＲＯＭ４０５には図３に示す音声データリストが格納されている。この音声データリストは、「Ｗ０１」〜「Ｗ０３」の各場面コードに対応する各場面と、各場面に適切な４種類異なる音声の音声コードとで構成されている。各音声コードは各音声コードは場面コード「Ｗ０１」〜「Ｗ０３」と「Ａ」〜「Ｄ」の組み合わせからなり、末尾にデジタル音声データであることを示す識別子「．ＷＡＶ」がピリオド「．」により区切られて付され、各音声の各曲のファイル名が構成されている。
【手続補正３１】
【補正対象書類名】明細書
【補正対象項目名】００７４
【補正方法】削除
【補正の内容】